(57)【特許請求の範囲】
【請求項１】
ドアクローザのアームの一部を夫々構成するストップ機構主体及び保持部を、相対回転可能に回転軸で連結し、該回転軸には前記保持部と協動するストップ用カムを備え、該ストップ用カムは係合部を備え、
前記ストップ機構主体は、筒状体の一端側に前記ストップ用カムの係合部と係合する係合子を備え、前記筒状体の他端側にストップ機構の作動状態と無効状態の切替手段を備え、前記筒状体の内部で長手に亘るバネと該バネを支持する当接部を備えたドアクローザのストップ機構において、
前記切替手段は、前記筒状体の直径方向に形成された一対の取付穴と、該取付穴に取付けられる柱状の切替軸部と、該切替軸部に当接する当接部を備え、
前記一対の取付穴の一方には雌螺子部を備え、
前記切替軸部は、前記雌螺子部に螺合する雄螺子部を備え、軸方向に縮径部と拡径部とを連続して備え、
前記当接部は、前記拡径部と当接可能であり且つ縮径部と当接しない当接端部と、前記拡径部若しくは縮径部と当接可能な当接基部とを備え、
ストップ用カムの係合部と係合子が係合し、且つ、拡径部と当接端部とが当接した位置で、バネの予圧縮量と加圧圧縮量の総和である圧縮量がドアを保持するために必要なばねの圧縮量以上となる構成でストップ用カムを保持し、
前記拡径部若しくは縮径部と当接基部とが当接した位置で、ばねの予圧縮量と加圧圧縮量の総和である圧縮量がドアを保持するために必要なバネの圧縮量未満となる構成でストップ用カムを回動可能とし、
雌螺子部に対して雄螺子部の１回転以上の螺合回動操作により前記切替軸部を軸方向へ移動させることで、
当接部に対する拡径部と縮小部の位置が変更され、
当接端部が拡径部と当接する状態から当接基部と拡径部若しくは縮径部とが当接する状態に切り替り、バネの圧縮量がドアを保持するために必要なバネの圧縮量未満となってストップ機構が無効化されることを特徴とするドアクローザのストップ機構。
【請求項２】
前記当接部は円柱状の当接基部と該当接基部の底面から突出する二本の脚部とを備え、当該二本の脚部の各先端部を当接端部とし、前記二本の脚部間の距離が縮径部の直径寸法より大きく且つ拡径部の直径寸法より小さいことを特徴とする請求項１に記載のドアクローザのストップ機構。
【請求項３】
前記切替手段は、基端から先端に向けて、雄螺子部、該雄螺子部よりも直径寸法の小さい縮径部、拡径部が連続した構成であることを特徴とする請求項１又は２に記載のドアクローザのストップ機構。
【請求項４】
前記切替手段は、拡径部の先端側に皿頭を備え、前記一対の取付穴のうち雌螺子部を有しない取付穴は皿穴としたことを特徴とする請求項１、２又は３に記載のドアクローザのストップ機構。
【請求項５】
前記切替手段は、基端面及び先端面の双方に操作手段を備えたことを特徴とする請求項１、２、３又は４に記載のドアクローザのストップ機構。
【発明の詳細な説明】
【技術分野】
【０００１】
本発明は、主としてドアクローザの開閉操作のストップ機構に関し、更に詳しくは、ストップ機構の無効化のための切替構造に関する。ここで開閉操作のストップ機構とは、ドアクローザの閉扉力に対向してドアを所定角度の開放状態で保持し、所定角度未満ではドアクローザの閉扉力により閉扉状態とする機構である。
【背景技術】
【０００２】
集合住宅には万一の火災時に備え安全性を高めるため、防火扉が設置される。
防火扉は防火上の理由から、開扉状態を保持するストップ機構を備えてはならない。一方で、集合住宅の新築工事等においては、ストップ機構のない扉は資材搬入等の妨げとなる。このような事情から、初期の段階ではストップ機構を発揮でき、工事終了後にストップ機構を無効化できるドアクローザが開発されている。
【０００３】
このようなドアクローザのストップ機構としては、例えば、ドアクローザのアームの一部を夫々構成するストップ機構主体及び保持部を、相対回転可能に回転軸で連結し、回転軸には、該回転軸を回動中心とし、且つ保持部と協動するストップ用カムを備え、該ストップ用カムは係合部を備え、前記ストップ機構主体は、筒状体の一端側に前記ストップ用カムの係合部と係合する係合子を備え、前記筒状体の他端側にストップ機構の作動状態と無効状態の切替手段となる柱状の切替回動軸を備え、前記筒状体の内部で長手に亘ってバネと該バネを支持する支持部材を備えており、前記切替回動軸は外周当接面と外周面に凹部を設けて形成される内壁面を備え、ストップ用カムの係合部と係合子が係合し、且つ、支持部材の一部が切替回動軸の外周当接面と当接した位置で、バネの予圧縮量と加圧圧縮量の総和である圧縮量がドアを保持するために必要なバネの圧縮量以上となる構成でストップ用カムを保持し、支持部材の一部が切替回動軸の内壁面と当接した位置で、バネの予圧縮量と加圧圧縮量の総和である圧縮量がドアを保持するために必要なバネの圧縮量未満となる構成でストップ用カムを回動可能とし、支持部材の一部が切替回動軸の内壁面と当接することによって、ストップ用カムの係合部と係合子が当接せず、且つ、切替回動軸の回動を阻止する構成としたことを特徴とするドアクローザのストップ機構が公知である（例えば、特許文献１参照。）。
【０００４】
また例えば、リンクアームの一端部にブラケット等の構成部材が相対回転可能に連結され、該リンクアームと構成部材の相対回転を止めることによって扉を所定の開き角度に保持するストップ機構として、構成部材側にはストッパ用カムが設けられ、リンクアームの筒状部には、ストッパ用カムの係合凹部に係合する係合ボールと、該係合ボールをストッパ用カムに向けて付勢するコイルバネとが内蔵されているストップ機構付きのドアクローザにおいて、コイルバネをリンクアームの他端部側から支持するバネ支持体がリンクアームの筒状部に軸線方向に移動可能に設けられ、バネ支持体に対してリンクアームの他端部側の位置には、操作軸がリンクアームの軸線方向と直交する方向の軸線を中心として回転可能に設けられ、バネ支持体は、コイルバネの弾発力を受ける支持部と、該支持部からリンクアームの他端部側に伸びる伸長部とを備え、操作軸は、バネ支持体の伸長部の被規制部に当接してバネ支持体のリンクアームの他端部側への移動を阻止する規制部を備え、操作軸の規制部がバネ支持体の移動を阻止している状態から操作軸を半回転を超えない範囲で回転させると、バネ支持体の伸長部の移動に対して干渉しないように操作軸の規制部がバネ支持体の伸長部を回避する姿勢となってストップ機構が機能解除され、バネ支持体の伸長部の被規制部は、ストップ機構が機能解除した状態において、操作軸よりもリンクアームの他端部側に位置することを特徴とするストップ機構付きのドアクローザが公知である（例えば、特許文献２参照。）。
【先行技術文献】
【特許文献】
【０００５】
【特許文献１】特許第４９０２２５３号公報
【特許文献２】特許第５４３２６９３号公報
【発明の概要】
【発明が解決しようとする課題】
【０００６】
上記特許文献１に係る発明は、ストップ機構を無効化した後には、支持部材の一部が切替回動軸における凹部内の内壁面と当接するため、次に切替回動軸を回動させようとしても、支持部材を進退させることができなくなり、切替回動軸はロックされる。これによって、以後のドアクローザのストップ機構の切替は不可能となり、ユーザの恣意の変更を阻止して火災発生時にドアが十分に開かないことで居住者の避難行動の大きな妨げとなる事態を防止し、安全性を確保することができる点で優れる。
しかしながら、ドアクローザに不慮の衝撃が加わった場合等に切り替え回動軸が回転する可能性が残る。
【０００７】
また、特許文献１は切替回転軸の回動によってバネの長さが変化するものであり、ばねのストローク量が非常に小さい。切替回動軸に支持部材が当接する箇
所を周面から平坦面へと切り替える構成であるため、その構造上、支持部材の移動距離が短く、当接する箇所を平坦面へと切り替えたとしてもコイルバネの開放が不十分となりやすい可能性があった。
【０００８】
特許文献２は、ばねのストローク量を確保し、操作軸を半回転を超えない範囲で回転させる構成を備えたものであり、複数の構成を開示している。
図１から図５に開示される実施例では、操作軸が半回転を超えない範囲であるもののばねの押圧力に抗して操作軸を動作させる必要があり、操作性が十分とは言えなかった。また他の実施例の場合には、ばねの押圧力に抗して操作軸を動作させる必要はないものの９０度程度で切替がされるため、不慮の衝撃やユーザの恣意の操作によって簡単に切替がされる欠点がある。
【０００９】
本発明は以上の事情に鑑みてなされたものであり、切替の操作性に優れ、衝撃やユーザの恣意の操作等に対してより安全性が高い、優れたドアクローザのストップ機構の提供を、発明が解決しようとする課題とする。
【課題を解決するための手段】
【００１０】
ドアクローザのアームの一部を夫々構成するストップ機構主体及び保持部を、相対回転可能に回転軸で連結し、該回転軸には前記保持部と協動するストップ用カムを備え、該ストップ用カムは係合部を備え、前記ストップ機構主体は、筒状体の一端側に前記ストップ用カムの係合部と係合する係合子を備え、前記筒状体の他端側にストップ機構の作動状態と無効状態の切替手段を備え、前記筒状体の内部で長手に亘るバネと、該バネを支持する当接部を備えたドアクローザのストップ機構において、前記切替手段は、前記筒状体の直径方向に形成された一対の取付穴と、該取付穴に取付けられる柱状の切替軸部と、該切替軸部に当接する当接部を備え、前記一対の取付穴の一方には雌螺子部を備え、前記切替軸部は、前記雌螺子部に螺合する雄螺子部を備え、軸方向に縮径部と拡径部とを連続して備え、前記当接部は、前記拡径部と当接可能であり且つ縮径部と当接しない当接端部と、前記拡径部若しくは縮径部と当接可能な当接基部とを備え、ストップ用カムの係合部と係合子が係合し、且つ、拡径部と当接端部とが当接した位置で、バネの予圧縮量と加圧圧縮量の総和である圧縮量がドアを保持するために必要なばねの圧縮量以上となる構成でストップ用カムを保持し、前記拡径部若しくは縮径部と当接基部とが当接した位置で、ばねの予圧縮量と加圧圧縮量の総和である圧縮量がドアを保持するために必要なバネの圧縮量未満となる構成でストップ用カムを回動可能とし、雌螺子部に対して雄螺子部の１回転以上の螺合回動操作により前記切替軸部を軸方向へ移動させることで、当接部に対する拡径部と縮小部の位置が変更され、当接端部が拡径部と当接する状態から当接基部と拡径部若しくは縮径部とが当接する状態に切り替り、バネの圧縮量がドアを保持するために必要なバネの圧縮量未満となってストップ機構が無効化されることを特徴とするドアクローザのストップ機構を、課題を解決するための手段とする。
【００１１】
また本発明は、上記発明の構成を前提として、前記当接部は円柱状の当接基部と該当接基部の底面から突出する二本の脚部とを備え、当該二本の脚部の各先端部を当接端部とし、前記二本の脚部間の距離が縮径部の直径寸法より大きく且つ拡径部の直径寸法より小さいことを特徴とするドアクローザのストップ機構を、上記課題を解決するための手段とする。
【００１２】
また本発明は、上記いずれかの発明の構成を前提として、前記切替手段は、基端から先端に向けて、雄螺子部、該雄螺子部よりも直径寸法の小さい縮径部、拡径部が連続した構成であることを特徴とするドアクローザのストップ機構を、上記課題を解決するための手段とする。
【００１３】
また本発明は、上記いずれかの発明の構成を前提として、前記切替手段は、拡径部の先端側に皿頭を備え、前記一対の取付穴のうち雌螺子部を有しない取付穴は皿穴としたことを特徴とするドアクローザのストップ機構を、上記課題を解決するための手段とする。
【００１４】
また本発明は、上記いずれかの発明の構成を前提として、前記切替手段は、基端面及び先端面の双方に操作手段を備えたことを特徴とするドアクローザのストップ機構を、上記課題を解決するための手段とする。
【発明の効果】
【００１５】
本発明によれば、上記発明の構成により、初期状態において、ストップ用カムの係合部と係合子が係合し、且つ、拡径部と当接端部とが当接した位置で、バネの予圧縮量と加圧圧縮量の総和である圧縮量がドアを保持するために必要なばねの圧縮量以上となる構成でストップ用カムを保持するため、ストップ機構が発揮される。そして、取付穴の雌螺子に対して切替軸部を１回転以上螺合回転して前記切替軸部を軸方向へ移動させると、当接部に対する拡径部と縮小部の位置が変更され、当接端部が拡径部と当接する状態から当接基部と切替軸部とが当接する状態に切り替わり、ばねの予圧縮量と加圧圧縮量の総和である圧縮量がドアを保持するために必要なバネの圧縮量未満となって、ストップ用カムが保持されなくなり、ストップ機構を無効化できる。
【００１６】
また本発明によれば、上記発明の構成を前提として、前記当接部は円柱状の当接基部と該当接基部の底面から突出する二本の脚部とを備え、当該二本の脚部の各先端部を当接端部とし、前記二本の脚部間の距離が縮径部の直径寸法より大きく且つ拡径部の直径寸法より小さいものとすることにより、当接基部と切替軸部とが当接し、縮径部が脚部間に嵌り込んだ状態となると、切替軸部を軸方向へ移動させるべく螺合回転させようとしても、当接部の側部と拡径部とが干渉し、当接端部と拡径部との当接が不可能となり、無効化されたストップ機構を回復できないものとすることができる。
【００１７】
また、脚部の長さがバネの圧縮開放量を決定するため、脚部の長さの設定を変更することで、バネの開放ストローク量を自由に設定することができる。
【００１８】
また本発明によれば、上記いずれかの発明の構成を前提として、前記切替手段は、基端から先端に向けて、雄螺子部、該雄螺子部よりも直径寸法の小さい縮径部、拡径部が連続した構成としたことにより、上記作用効果を奏する上に、ストップ機構の無効化後に更に切替軸部を螺合回転させた際に、当接部の側部と雄螺子部とが干渉して切替軸部の更なる移動を阻止し、切替軸部の脱落を防止することができる。
【００１９】
また本発明によれば、上記いずれかの発明の構成を前提として、前記切替手段は、拡径部の先端側に皿頭を備え、前記一対の取付穴のうち雌螺子部を有しない取付穴は皿穴としたことにより、組立時において、皿穴側から切替軸部を取着することで、皿穴と皿頭が当接することで、常に定位置に切替軸部を配置することができ、上記いずれかの作用効果を奏する上に、製品精度を高め、誤動作の防止に資することができる。
【００２０】
また本発明によれば、上記いずれかの発明の構成を前提として、前記切替手段は、基端面及び先端面の双方に操作手段を備えたことにより、上記いずれかの発明の作用効果を奏する上に、組立時においては上方に位置する先端面側から切替軸部を取着でき、設置後には、操作の容易な下方に位置する基端面側から切替軸部を操作でき、利便性を高めることができる。
【図面の簡単な説明】
【００２１】
【図１】本発明の実施例に係るドアクローザのストップ機構の一部断面図である。
【図２】実施例に係るストップ機構を構成する切替軸部の（ａ）正面、左側面、平面を示す斜視図、（ｂ）底面、背面、右側面を示す斜視図である。
【図３】中空部に対して切替軸部を取付ける状態を示す説明図である。
【図４】実施例に係るストップ機構を構成する当接部の（ａ）正面、左側面、平面を示す斜視図、（ｂ）背面、左側面、平面を示す斜視図である。
【図５】当接部における当接端部と切替軸部との当接状態（作動状態）を示す（ａ）斜視図及び（ｂ）ストップ機構の説明一部断面図である。
【図６】当接部における当接基部と切替軸部との当接状態（無効状態）を示す（ａ）斜視図及び（ｂ）ストップ機構の説明一部断面図である。
【図７】ストップ機構の作動状態でドアの開閉可能時におけるストップ用カム、係合子、当接部の関係を示す（ａ）一部断面とした平面図、（ｂ）一部断面とした正面図である。
【図８】ストップ機構の作動状態でストップ機能を使用した状態におけるストップ用カム、係合子、当接部の関係を示す（ａ）一部断面とした平面図、（ｂ）一部断面とした正面図である。
【図９】ストップ機構の無効化後におけるストップ用カム、係合子、当接部の関係を示す（ａ）一部断面とした平面図、（ｂ）一部断面とした正面図である。
【図１０】ストップ機構の作動状態におけるストップ用カムに対する係合子の（ａ）初期位置（ｂ）最終到達位置（ｃ）無効状態位置を示す説明図である。
【発明を実施するための形態】
【００２２】
以下に、本発明の実施例に係るドアクローザのストップ機構について説明する。
尚、本発明は以下の実施例に限定されるものではなく、本発明の開示する技術的思想の範囲内において、適宜設計変更等した構造に及ぶ。
【実施例１】
【００２３】
本発明の実施例に係るドアクローザのストップ機構Ｓは、図１に示すように、ストップ機構主体１、保持部としてのブラケットＤ、係合子２、バネ３、ストップ用カム６、及び切替手段５とを有している。
【００２４】
ドアクローザのアームＡは、メインアームＢ、調整ネジ棒Ｃ、ストップ機構主体１から構成されている。ストップ機構主体１は、ドアクローザのアームＡの一部を構成する部材である。ストップ機構主体１の図示左側には保持部としてのブラケットＤが接続されており、ストップ機構主体１の図示右側には調整ネジ棒Ｃが接続されている。以下の説明では、ストップ機構主体１のブラケットＤ側を前方、ストップ機構主体１の調整ネジ棒Ｃ側を後方として説明する。
【００２５】
ストップ機構主体１は、中空部１１と板状部１２を有している。中空部１１は略円筒形状であり、前方端部には係合子２が進退するための開口部１３を形成している。
板状部１２は、前記開口部１３の下縁部から軸方向に延設し、板状部１２にはブラケットＤと接続するための回転軸１６を挿通する孔を形成している。
【００２６】
ブラケットＤは、ドアクローザのアームＡと扉取付枠体とを接続する部材であり、従来のドアクローザのストップ機構に用いられているブラケットと同様の構成である。ブラケットＤは扉取付枠体の上側にネジ止め等の取り付け手段により取付ける。ブラケットＤには前記回転軸１６を挿通する孔を形成し、ブラケットＤとストップ機構主体１は回転軸１６で回転自在に接続する。
尚、本実施例では保持部としてのブラケットＤとストップ機構主体１との間でドアクローザのストップ機構Ｓが構成されているが、メインアームＢとストップ機構主体１とを接続し、メインアームＢとストップ機構主体１の間でドアクローザのストップ機構Ｓを構成することもできる。この場合は、メインアームＢが保持部に相当する。
【００２７】
係合子２は、ストップ用カム６と係合する部材であり、従来のドアクローザのストップ機構に用いられている係合子と同様の構成である。係合子２は、金属製の球体であり、ストップ機構主体１の中空部１１の開口部１３付近に進退自在に設けられる。板状部１２には厚肉部が設けられており、開口部１３から突出する係合子２に当接して、係合子２がストップ機構主体１から抜脱することを防止している。
【００２８】
バネ３は、係合子２をストップ用カム６の係合部６１に圧接させて、ドアを保持するために必要な弾発力を発揮する部材である。バネ３はストップ機構主体１の中空部１１に移動自在に設けられている。
【００２９】
ストップ用カム６は、係合子２と係合してドアを所定の開扉角度で保持する部分であり、従来のドアクローザのストップ機構に用いられているストップ用カムと同様の構成である。ストップ用カム６の周縁部には、係合子２に対向する位置に係合部６１が形成されている。また、係合子２と当接しない部分を解除領域６２とする。ストップ用カム６は、ドアの開扉角度を変更できるよう、ブラケットＤの回転軸１６に対する取付角度の変更が可能である。
【００３０】
ブッシュ４は、係合子２とバネ３の間に介在し、係合子２の動きをバネ３に伝達する部材である。係合子２によってブッシュ４が後方に押し込まれた際は、ブッシュ４が後方に移動していき、バネ３を加圧圧縮する。尚、ブッシュ４は係合子２とは別部材としたが、これらを金属素材等を用いて一体に形成してもよい。
【００３１】
そして、切替手段５は、当接部５２と切替軸部５１との当接位置を軸方向へ切り替えることによって、ドアクローザのストップ機構Ｓを作動状態から無効状態へ切り替える部分である。
【００３２】
前記切替手段５は、前記筒状体である中空部１１の後方端部付近に直径方向に形成された一対の取付穴５００、５０１と、該取付穴５００、５０１に取付けられる柱状の切替軸部５１と、該切替軸部５１に当接する当接部５２を有している。
一方の取付穴５００には雌螺子部５０２を備える。他方の取付穴５０１は皿穴としている。
【００３３】
切替軸部５１は、図２に示すように、基端側から先端側に向けて順に雄螺子部５１０、縮径部５１１、拡径部５１２、皿頭５１３が連続してなる構成である。
縮径部５１１及び拡径部５１２はいずれも円柱形状を有する。
縮径部５１１の直径寸法Ｄ１は雄螺子部５１０の直径寸法Ｄ３及び拡径部５１２の直径寸法Ｄ２よりも小径である。雄螺子部５１０の直径寸法Ｄ３と拡径部５１２の直径寸法Ｄ２は略同程度の直径寸法である。
このため、縮径部５１１と拡径部５１２との間、縮径部５１１と雄螺子部５１０との間にはそれぞれ段差が生じる。
【００３４】
縮径部５１１の長さＬ１及び拡径部５１２の長さＬ２はいずれも中空部１１の内径の２分の１程度としてある。
【００３５】
雄螺子部５１０の基端面（底面）には操作部となるプラス溝５１４を有する。皿頭５１３の先端面（上面）には組立操作に使用するプラス溝５１５を有する。
皿頭５１３は切替軸部５１における最大径を有する部分である。
【００３６】
切替軸部５１は、皿穴である取付穴５０１側から雄螺子部５１０を挿入し、雄螺子部５１０と雌螺子部５０２を螺合させることで取付けできる。取付けに際しては、図３に示すように、皿頭５１３が皿穴に当接するまで締め込むことによって、作動状態（ストップ機構を有する状態）の精度を保持することができる。
【００３７】
当接部５２は切替手段５の構成部品であるとともに、バネ３をストップ機構主体１の内部で支持するための部材でもある。ストップ機構主体１の内部に移動自在に設けられる。
【００３８】
当接部５２は、図４に示すように、円柱台座状の当接基部５２０と、該当接基部５２０の後端面から突出する二本の脚部５２２を有する。二本の脚部５２２の各先端部は当接端部５２１となる。当接端部５２１は切替軸部５１の拡径部５１２の周面に沿う曲面５２３を有している。
【００３９】
二本の脚部５２２間の距離Ｌ３は、縮径部５１１の直径寸法より大きく且つ拡径部５１２の直径寸法より小さく形成してある。脚部５２２の高さＨ１は、縮径部５１１の長さＬ１未満としてある。
当接基部５２０の前面は、バネ３の後方端部を支持する。
【００４０】
次に、当接部５２の位置と係合子２の位置などについて説明する。
（１）図５、図７に示すように、初期の当接部５２の状態は、当接部５２の当接端部５２１と拡径部５１２が当接した状態であり、当接部５２は前方に押し出された状態である。この状態での当接部５２の位置を、作動時位置とする。
（２）図６、図９に示すように、二本の脚部５２２間に縮径部５１１が嵌り込むと、当接部５２は後退した状態となる。この状態での当接部５２の位置を無効時位置とする。
（３）図１０（ａ）に示すように、当接部５２が作動時位置にある状態において、係合子２とストップ用カム６とが当接してバネ３に加圧圧縮が加わり始めるときの係合子２の位置を初期位置Ｐ１とする。
（４）図１０（ｂ）に示すように、係合子２がストップ用カム６によって後方に押し付けられ、ストップ用カム６の係合部６１に係合した状態における係合子２ の位置を作動状態最終到達位置Ｐ３とする。尚、最終到達位置Ｐ３は、ストップ用カム６の係合部６１によって係合子２が後方に押付けられた状態であるため、この位置は、当接部５２が作動時位置にあるか無効時位置にあるかに関わらず、一定となる。
（５）図１０（ｃ）に示すように、当接部５２が解除時位置にある状態において、係合子２とストップ用カム６とが当接しない係合子２の位置を解除状態位置Ｐ２とする。
（６）当接部５２が作動時位置にある状態において、バネ３は、係合子２とストップ用カム６が当接していない状態においても、バネ３は当接部５２とブッシュ４とで予め圧縮（予圧縮）を与えた状態で挟持されている。この予圧縮の量を予圧縮量とする。
（７）図８に示すように、係合子２とストップ用カム６が当接して係合子２が押し込まれると、バネ３はブッシュ４によって圧縮される（加圧圧縮）。この加圧圧縮の量を加圧圧縮量とする。
【００４１】
当接部５２の作動時位置は、係合子２が初期位置Ｐ１から最終到達位置Ｐ２に至るまでのバネ３の加圧圧縮量と予圧縮量との総和である圧縮量が、ドアを保持するために必要なバネ３の圧縮量以上となるように設定されている。
【００４２】
次に前記のように構成されたドアクローザのストップ機構Ｓの作用について説明する。
【００４３】
先ず、切り替え前の状態（作動状態）から説明する。係合子２がストップ用カム６の解除領域６２に対向する状態において、当接部５２の当接位置を切り替える際、すなわち、切替軸部５１でストップ機構Ｓの作動状態から無効状態へ切り替える際には、バネ３は係合子２によって加圧圧縮を受けることなく、当接部５２とブッシュ４で挟持された状態のまま移動する。このため、切替軸部５１を螺合回転操作する際には切替軸部にはバネ３の弾発力は作用しない。
【００４４】
係合子２がストップ用カム６の解除領域６２に対向する状態において、切替軸部５１を螺合回転操作してストップ機構Ｓを作動状態とすると、当接部５２の当接端部５２１と拡径部５１２が当接されている状態となる。ドアを開くと、それに応じてストップ機構主体１とブラケットＤとが相対回転する。相対回転が進行するにつれて係合子２とストップ用カム６とが当接していき、ブッシュ４を介してバネ３が加圧圧縮される。
【００４５】
更にストップ機構主体１とブラケットＤの相対回転が進行すると、図８に示すように、係合子２がストップ用カム６の係合部６１に係合した状態となる。この状態において、バネ３の予圧縮量と加圧圧縮量の総和である圧縮量は、ドアを保持するために必要なバネ３の圧縮量以上となるように設定されているため、ドアは所定の開扉状態で保持される。
【００４６】
作動状態においては、当接端部５２１が拡径部５１２と当接している。本実施例においては、脚部５２２の高さ方向の約半分の範囲で、当接端部５２１と拡径部５１２とが当接している。当接している範囲は、少なくとも切替軸部５１が１回転を超えて螺合回転させても当接端部５２１と拡径部５１２との当接が確保される範囲としている。このようにすることで、ドアクローザに不慮の衝撃が加わった場合等においても、意図しない切り替えを生じないものとしている。
【００４７】
作動状態から無効状態への切り替えは、
切替軸部５１の操作部であるプラス溝５１４をドライバーで１回転以上回転操作することで、軸方向に切替軸部５１を移動させて、拡径部５１２に当接する位置を、当接端部５２１から当接基部５２０に変更する。
切替軸部５１は雄螺子部５１０を除き回転対称に構成されており、バネ３の弾性力に抗することなく軽い力で螺合回転させることができる。
尚、本発明においては、プラス溝に限らず、マイナスドライバーや六角レンチ等に対応した溝や凹みを形成することも可能である。
【００４８】
切替軸部５１を１回転以上の螺合回転をさせて、軸方向（上方）に移動させると、切り替わる際に、当接端部５２１は当接する対象がなくなり、当接端部５２１から拡径部５１２が離脱する。バネの付勢によって、当接部５２の二本の脚部５２２は、縮径部５１１に嵌り込み、当接基部５２０と拡径部５１２（若しくは縮径部５１１）とが当接する。
この状態において、ばねの予圧縮量と加圧圧縮量の総和である圧縮量がドアを保持するために必要なバネの圧縮量未満となる。
【００４９】
二本の脚部５２２は拡径部５１２と雄螺子部５１０の間に挟まれた状態となり、軸方向への移動が規制される。二本の脚部５２２間の距離は、拡径部５１２の直径及び雄螺子部５１０の直径よりも小さいため、切替軸部５１を回転させても拡径部５１２や雄螺子部５１０に乗り上げることはできず、ストップ機構Ｓは無効化される。
【００５０】
切り替え後は、図６、図９に示すように、当接基部５２０が切替軸部５１に当接した無効状態位置となる。ドアを開くと、それに応じてストップ機構主体１とブラケットＤとが相対回転する。この状態では、バネに付勢力が多少残っていても、ドアを保持するために必要なバネの圧縮量未満であれば、ドアの開扉状態は保持されず、ドアクローザの閉扉力によって閉扉され、防火扉として機能させることができる。
【００５１】
尚、上記実施例においては、切替手段は、拡径部の先端側に皿頭を備え、前記一対の取付穴のうち雌螺子部を有しない取付穴は皿穴としているが、本発明は上記実施例に限らず、皿頭に代えてなべ頭や六角頭等、種々のねじ頭を使用することが可能である。一方で、実施例に示した皿頭を用いる場合には、皿頭５１３が皿穴に当接するまで締め込む際の精度の保持が容易であり、また収まりがよい点で優れたものとすることができる。
【００５２】
また上記実施例においては、当接端部５２１は切替軸部５１の拡径部５１２の周面に沿う曲面５２３を有した構成としているが、本発明は曲面５２３を必ずしも有する必要はなく、例えば水平面等とすることも可能である。
【符号の説明】
【００５３】
１      ストップ機構主体
１１    中空部
１２    板状部
１３    開口部
１６    回転軸
２      係合子
３      バネ
４      ブッシュ
５      切替手段
５００  取付穴
５０１  取付穴
５０２  雌螺子部
５１    切替軸部
５１０  雄螺子部
５１１  縮径部
５１２  拡径部
５１３  皿頭
５１４  プラス溝
５１５  プラス溝
５２    当接部
５２０  当接基部
５２１  当接端部
５２２  脚部
５２３  曲面
６      ストップ用カム
６１    係合部
６２    解除領域
Ａ      アーム
Ｂ      メインアーム
Ｃ      調整ネジ棒
Ｄ      ブラケット
Ｓ      ストップ機構
Ｐ１    初期位置
Ｐ２    最終到達位置
Ｈ１    脚部の高さ
Ｌ１    縮径部の長さ
Ｌ２    拡径部の長さ
Ｌ３    脚部間の距離
Ｄ１    縮径部の直径寸法
Ｄ２    拡径部の直径寸法
Ｄ３    雄螺子部の直径寸法
【要約】
【課題】切替の操作性に優れ、衝撃やユーザの恣意の操作等に対してより安全性が高いドアクローザのストップ構造の提供。
【解決手段】
切替手段が、筒状体の直径方向に形成された一対の取付穴と、取付穴に取付けられる柱状の切替軸部と、切替軸部に当接する当接部を備え、一対の取付穴の一方には雌螺子部を備え、切替軸部は雌螺子部に螺合する雄螺子部を備え、軸方向に縮径部と拡径部とを連続して備え、前記当接部は、前記拡径部と当接可能であり且つ縮径部と当接しない当接端部と、前記拡径部若しくは縮径部と当接可能な当接基部とを備えたものとし、雌螺子部に対して雄螺子部の１回転以上の螺合回動操作により前記切替軸部を軸方向へ移動させて、当接部に対する拡径部と縮小部の位置を変更し、当接端部が拡径部と当接する状態から当接基部と拡径部若しくは縮径部とが当接する状態に切り替えてストップ機構を無効化する。
【選択図】図１【図１】
0006836291.tif 000002
【図２】
0006836291.tif 000003
【図３】
0006836291.tif 000004
【図４】
0006836291.tif 000005
【図５】
0006836291.tif 000006
【図６】
0006836291.tif 000007
【図７】
0006836291.tif 000008
【図８】
0006836291.tif 000009
【図９】
0006836291.tif 000010
【図１０】
0006836291.tif 000011